(57)【要約】【課題】各外部端末に対して制御部にポート及びメモリを設ける必要をなくして、制御部構成の簡素化を図る。【解決手段】制御部１に、送信ポート３、送信メモリ９、送信待機メモリ８を有する一組の送信ブロックと、受信ポート４、受信メモリ１３、受信完了メモリ１２を有する一組の受信ブロックとを備え、制御部１の複数の外部端末２ａ〜２ｎを接続する各通信チャンネルに送信ゲート５ａ〜５ｎ及び受信ゲート６ａ〜６ｎを設け、各送信ゲート５ａ〜５ｎを並列接続して送信ポート３に接続し、各受信ゲート６ａ〜６ｎを並列接続して受信ポート４に接続した。送信ゲート制御回路１０により送信ゲート５ａ〜５ｎを制御して任意の外部端末２ａ〜２ｎとの送信経路を作り、受信ゲート制御回路１４により受信ゲート６ａ〜６ｎを制御して任意の外部端末２ａ〜２ｎとの受信経路を作り通信を可能とした。【選択図】　図１
2004048381.tif 000002
【特許請求の範囲】
【請求項１】
集合玄関機，電気錠等の複数の外部端末にデータの送信制御を行うための制御部を有するインターホン装置において、
前記制御部は、送信ポートと、該送信ポートと前記外部端末との接続及び非接続を図る複数の送信ゲートと、該複数の送信ゲートを制御するゲート制御回路とを有し、該ゲート制御回路が前記複数の送信ゲートのうち任意の１つを動作させて１つの外部端末と通信経路を作り、送信を可能とすることを特徴とするインターホン装置。
【請求項２】
集合玄関機，電気錠等の複数の外部端末からデータの受信制御を行うための制御部を有するインターホン装置において、
前記制御部は、受信ポートと、該受信ポートと前記外部端末との接続及び非接続を図る複数の受信ゲートと、該複数の受信ゲートを制御するゲート制御回路とを有し、該ゲート制御回路が前記複数の受信ゲートのうち任意の１つを動作させて１つの外部端末と通信経路を作り、受信を可能とすることを特徴とするインターホン装置。
【請求項３】
集合玄関機，電気錠等の複数の外部端末にデータの送信制御を行うための制御部を有するインターホン装置において、
前記制御部は、送信ポートと、該送信ポートと前記外部端末との接続及び非接続を図る複数の送信ゲートと、該複数の送信ゲートを動作させることにより通信経路を作り通信を可能とするゲート制御回路とを有することを特徴とするインターホン装置。
【請求項４】
集合玄関機，電気錠等の複数の外部端末とデータの送受信制御を行うための制御部を有するインターホン装置において、
前記制御部は、送信ポート及び受信ポートと、該送信ポート及び受信ポートと前記外部端末との通信の接続及び非接続を図る複数の送受信ゲートと、該複数の送受信ゲートのうちの任意の１つを動作させることにより１つの外部端末と通信経路を作り、通信を可能とするゲート制御回路と、を有することを特徴とするインターホン装置。
【請求項５】
前記制御部は、送信ポート及び／又は受信ポートと、該送信ポート及び／又は受信ポートと前記外部端末との接続及び非接続を図る複数の送信ゲート及び／又は受信ゲートと、該複数の送信ゲート及び／又は受信ポートを制御するゲート制御回路とを備えた通信経路の組を複数有し、
それらは並列に接続され、前記通信経路のうち任意の１つの通信経路を使用して通信を可能とした請求項１乃至４の何れかに記載のインターホン装置。
【発明の詳細な説明】
【０００１】
【発明の属する技術分野】
本発明は、集合玄関機や電気錠等の複数の外部端末を有するインターホン装置に関し、特に外部端末とインターホン装置の制御部との間でデータを送受信する構成の改良に関する。
【０００２】
【従来の技術】
集合玄関機や電気錠等の複数の外部端末を有するインターホン装置において、データ通信を実施する制御部の構成は一般的に図５のブロック図に示すよう構成されている。図５において、４１は制御部、４２ａ〜４２ｎは制御部４１に接続されたｎ個の外部端末であり、制御部４１は外部端末が接続されるｎ個の通信チャンネルを有し、各チャンネル毎に、送信ポート４３（４３ａ〜４３ｎ）、送信メモリ４４（４４ａ〜４４ｎ）、送信待機メモリ４５（４５ａ〜４５ｎ）を備えたｎ個の複数の送信ブロック４６ａ〜４６ｎの組と、受信ポート４７（４７ａ〜４７ｎ）、受信メモリ４８（４８ａ〜４８ｎ）、受信完了メモリ４９（４９ａ〜４９ｎ）を有するｎ個の受信ブロック５０ａ〜５０ｎの組とを有している。また、矢印は信号の流れを示している。
【０００３】
送信メモリ４４は送信する１パケット分の送信データを記憶するメモリ、送信待機メモリ４５は、送信処理される送信データを待機させておくキュー（先入先出）メモリで構成され、送信が終了して送信メモリ４４が空になったら送信待機メモリ４５から送信メモリ４４に次の１パケット分の送信データが転送されて送信が行われ、送信待機メモリ４５へは送信処理されるデータが待機している。そして、制御部送信ポート４３から出力されるデータは信号線を介して外部端末４２ａ〜４２ｎの受信ポート５１に送られる。
【０００４】
また、外部端末４２ａ〜４２ｎの送信ポート５２から出力されるデータが信号線を介して制御部の受信ポート４７に送られ、受信したデータは受信メモリ４８に書き込まれ、１パケット分書き込まれたら受信完了メモリ４９に送られる。受信完了メモリ４９は、受信メモリ４８で１パケット分の受信が完了した受信データを記憶するキュー（先入先出）メモリで構成され、受信完了メモリ４９に書き込まれたデータは受信が完了したら順次受信処理される。
【０００５】
【発明が解決しようとする課題】
このように、上記従来のインターホン装置では外部端末を接続する通信チャンネルごとに送信／受信ポート４３，４７、送信メモリ４４、受信メモリ４８、送信待機メモリ４５、受信完了メモリ４９が設けられるため、通信チャンネル数に比例してポート及びメモリ数を増やさなければならなかった。また、データを送信する場合、夫々の送信ポート４３毎の送信メモリ４４に送信データを振り分ける操作が必要であり、データの受信処理する際には受信した受信完了メモリ４９を選択する操作が必要であるため、夫々個別の処理をしなければならず、制御部４１の制御動作も複雑であった。
【０００６】
そこで、本発明は上記問題点に鑑み、制御部に複数の外部端末を接続する形態であっても、制御部に各端末に対してポート及びメモリを設ける必要をなくして制御部構成及び制御動作の簡略化が可能なインターホン装置を提供することを目的とする。
【０００７】
【課題を解決するための手段】
上記課題を解決するため、請求項１の発明は、集合玄関機，電気錠等の複数の外部端末にデータの送信制御を行うための制御部を有するインターホン装置において、制御部は、送信ポートと、該送信ポートと外部端末との接続及び非接続を図る複数の送信ゲートと、該複数の送信ゲートを制御するゲート制御回路とを有し、該ゲート制御回路が複数の送信ゲートのうち任意の１つを動作させて１つの外部端末と通信経路を作り、送信を可能とすることを特徴とする。
この構成により、制御部に送信ポートを１つ設けるだけで複数の外部端末に対しデータの送信が可能となり、外部端末を接続する各通信チャンネル毎に送信ポート及びメモリを設ける必要がなくなる。そのため、制御部に設けるメモリは最小のメモリ数で済み、データ送信の際にメモリやポートの選択操作が必要ないので制御部の構成及び制御操作を簡略化でき、制御部の小型化及び低コストを図ることができる。
【０００８】
請求項２の発明は、集合玄関機，電気錠等の複数の外部端末からデータの受信制御を行うための制御部を有するインターホン装置において、制御部は、受信ポートと、該受信ポートと外部端末との接続及び非接続を図る複数の受信ゲートと、該複数の受信ゲートを制御するゲート制御回路とを有し、該ゲート制御回路が複数の受信ゲートのうち任意の１つを動作させて１つの外部端末と通信経路を作り、受信を可能とすることを特徴とする。
この構成により、制御部に受信ポートを１つ設けるだけで複数の外部端末からデータの受信が可能となり、外部端末を接続する各通信チャンネル毎に受信ポート及びメモリを設ける必要がなくなる。そのため、制御部に設けるメモリは最小のメモリ数で済み、データ受信の際にメモリやポートの選択操作が必要ないので制御部の構成及び制御操作を簡略化でき、制御部の小型化及び低コストを図ることができる。
【０００９】
請求項３の発明は、集合玄関機，電気錠等の複数の外部端末にデータの送信制御を行うための制御部を有するインターホン装置において、制御部は、送信ポートと、該送信ポートと外部端末との接続及び非接続を図る複数の送信ゲートと、該複数の送信ゲートを動作させることにより通信経路を作り通信を可能とするゲート制御回路とを有することを特徴とする。
この構成により、複数の外部端末に対して夫々送信ポート及び送信メモリを設けることなく、１組の送信ポート及び送信メモリを設ける簡易な構成で一括してデータを送信でき、一括送信に際して時間を要さない。
【００１０】
請求項４の発明は、集合玄関機，電気錠等の複数の外部端末とデータの送受信制御を行うための制御部を有するインターホン装置において、制御部は、送信ポート及び受信ポートと、該送信ポート及び受信ポートと外部端末との通信の接続及び非接続を図る複数の送受信ゲートと、該複数の送受信ゲートのうちの任意の１つを動作させることにより１つの外部端末と通信経路を作り、通信を可能とするゲート制御回路と、を有することを特徴とする。
このように構成することで、制御部に送信ポート及び受信ポートを１つ設けるだけで複数の外部端末とデータの送信及び受信が可能となり、外部端末を接続する各通信チャンネル毎にポート及びメモリを設ける必要がなくなる。そのため、制御部に設けるメモリは最小のメモリ数で済み、データ送受信の際にメモリやポートの選択操作が必要ないので、制御部の構成及び制御操作を簡略化でき、制御部の小型化及び低コストを図ることができる。
また、送信ゲートと受信ゲートを一体化することで、送信も受信も同じゲート制御で実施でき、ゲート制御を送信と受信で独立して行う必要が無い。そのため、ゲートを制御するゲート制御回路が送受信独立型と比べて半分に削減できる。
【００１１】
請求項５の発明は、請求項１乃至４の何れかに発明において、制御部は、送信ポート及び／又は受信ポートと、該送信ポート及び／又は受信ポートと外部端末との接続及び非接続を図る複数の送信ゲート及び／又は受信ゲートと、該複数の送信ゲート及び／又は受信ポートを制御するゲート制御回路とを備えた通信経路の組を複数有し、それらは並列に接続され、通信経路のうち任意の１つの通信経路を使用して通信を可能としたことを特徴とする。
この構成により、例えば１つの送信ポート或いは受信ポートが通信処理中であっても、他の送信ポート或いは受信ポートによりもう一つの通信処理が実行でき、接続されている複数の外部端末と制御部との間で並列通信処理が実行でき、待ち時間による送受信の遅れを削減できる。
【００１２】
【発明の実施の形態】
以下、本発明を具体化した実施の形態を、図面に基づいて詳細に説明する。図１は本発明に係るインターホン装置の第１実施形態を示し、発明の要部である外部端末とデータ通信を実施する制御部のブロック図を示している。図において、１は制御部、２ａ〜２ｎは例えば集合玄関機、電気錠、居室親機等のｎ個の外部端末を示し、矢印はデータの流れを示している。尚、ＣＰＵ、表示部、操作部等は省略してある。
【００１３】
制御部１は、１つの送信ポート３と１つの受信ポート４を有し、送信ポート３はｎ個の複数の送信ゲート５ａ〜５ｎが並列接続されて、複数の通信チャンネルのデータ送信経路を構成し、夫々に外部端末２ａ〜２ｎが接続されている。また受信ポート４は同様にｎ個の受信ゲート６ａ〜６ｎが並列接続され、各通信チャンネルのデータ受信経路を構成している。
【００１４】
そして、データ送信経路には送信処理される複数のデータを待機させる送信待機メモリ８と、送信待機メモリ８から送信するデータを１パケットづつ取り出して記憶する送信メモリ９と、送信ゲート５ａ〜５ｎを制御するゲート制御回路である送信ゲート制御回路１０が設けられている。
送信メモリ９は制御情報データ部９ａと送信データ部９ｂを有し、制御情報データ部９ａには送信する外部端末２ａ〜２ｎの情報が記憶されると共に送信データ部９ｂには送信するデータパケットが記憶され、送信ゲート制御回路１０は送信メモリの制御情報データ部９ａの情報を受けて送信ゲート５ａ〜５ｎを選択して接続動作させる。
尚、送信待機メモリ８はキュー（先入先出）メモリであり、古い書込みデータから順に出力される。
【００１５】
データ送信経路をこのように構成することで、送信は、まず送信待機メモリ８に送信する制御情報データと送信データを記憶し、送信メモリ９が空になったら送信待機メモリ８に記憶された一番古いデータから順に送信メモリ９に移動する。送信ゲート制御回路１０は、送信メモリ９に記憶された制御情報データによって複数の送信ゲート５ａ〜５ｎのうち該当する１つの送信ゲートを動作させて送信ポート３と対応する１つの外部端末の間の通信経路を確保する。通信経路が確保されたら、外部端末２ａ〜２ｃのうちの通信先の受信ポート１６へデータの送信を行う。尚、送信が完了すると送信メモリ９のデータは消去される。
【００１６】
また、受信経路には受信処理される複数のデータを待機させる受信完了メモリ１２と、外部端末から送られてきたデータを１パケットずつ記憶する受信メモリ１３、受信ゲート６を制御するゲート制御回路である受信ゲート制御回路１４が設けられている。
受信メモリ１３は制御情報データ部１３ａと受信データ部１３ｂを有し、制御情報データ部１３ａには受信したチャンネル情報等が記憶され、受信データ部１３ｂには受信したデータパケットが記憶される。そして、受信ゲート制御回路１４は、送信ゲート制御回路１０の動作に基づき受信ゲート６を制御して受信メモリ１３の制御情報データ部１３ａに受信したチャンネル情報を送る。
尚、受信完了メモリ１２はキュー（先入先出）メモリであり、古い書込みデータから順に出力される。
【００１７】
データ受信経路をこのように構成することで、受信は、まず受信メモリ１３の制御情報データ部１３ａに外部端末２ａ〜２ｎの送信ポート１７から受信した通信チャンネル等の情報が記憶され、受信データ部１３ｂには受信したデータパケットが記憶される。受信した制御情報と受信データは受信メモリ１３に１パケットづつ記憶され、１パケットのデータを受信したらデータを順次受信完了メモリ１２に移動して受信メモリ１３を空にして次のデータを受信する。受信処理を行う場合は受信完了メモリ１２の一番古いデータから移動して処理を行う。
尚、受信ゲート６の選択は、送信ゲート制御回路１０が次の送信ゲート５ａ〜５ｎを選択するまで維持される。
【００１８】
このように、制御部１に一組の送信ポート３と送信メモリ９、或いは一組の受信ポート４と受信メモリ１３を設けるだけで複数の外部端末とデータの送信或いは受信が可能となり、外部端末を接続する各通信チャンネル毎にポート及びメモリを設ける必要がなくなるので、最小のメモリ数で済み、制御部の構成を簡略化でき、制御部の小型化及び低コストを図ることができる。
また、送信待機メモリ８にデータを記憶させるだけで、各通信チャンネルに対応するポートを選択し、選択したメモリにデータを振り分ける操作をする必要がなく、送信操作を単純化できるし、外部端末からデータを受信する際には、受信完了メモリ１２を閲覧するだけでデータの受信ができ、受信処理を単純化できる。従って、制御操作も簡略化でき、層の簡略化及び低コストを図ることができる。
【００１９】
更に、複数の外部端末に対して夫々送信ポート及び送信メモリを設けなくても、複数の送信ゲート５ａ〜５ｎを一斉に接続動作させることが可能であり、そうすれば一括してデータを送信することができ、１組の送信ポート３及び送信メモリ９を設けるだけの簡易な構成で一括送信が実施できる。その結果、一括送信する際の時間も削減できる。
【００２０】
図２は本発明に係るインターホン装置の第２の実施形態を示している。図１との相違点は、送信ゲートと受信ゲートを一体化した送受信ゲート１９ａ〜１９ｎを設けると共に送信ゲート制御回路と受信ゲート制御回路とを一体化して送受信ゲート制御回路２０を設けている点であり、図１と同一の構成要素には同一の符号を付してある。
このように、送信ゲートと受信ゲートを一体化すれば、送信も受信も同じゲート制御で実施でき、ゲート制御を送信と受信で独立して行う必要が無くなる。そのため、ゲート制御回路である送受信ゲート制御回路２０を送受信独立型と比べて半分に削減できる。
【００２１】
図３は、本発明のインターホン装置の第３の実施形態を示している。図３は通信チャンネルが３つの場合を示し、３つの外部端末２ａ〜２ｃを制御部１に接続した形態を示している。図１との相違点は、制御部１に各外部端末２ａ〜２ｃに対して第１ゲート部２２と第２ゲート部２３とから成る２つの送受信ゲートの組を設け、各外部端末との間で２つの通信経路を形成している点である。
第１及び第２ゲート部２２，２３は、個々の通信チャンネルに対応した夫々３個の送受信ゲート２２ａ〜２２ｃ、２３ａ〜２３ｃが設けられ、第１ゲート部２２には第１送受信ポート２４及び第１ゲート部２２を制御する第１ゲート制御回路２６が設けられて外部端末に対して第１通信経路を構成している。また、第２ゲート部２３には第２送受信ポート２５、第２ゲート部２３を制御する第２ゲート制御回路２７が設けられて外部端末に対して第２通信経路を構成し、第１通信経路と第２通信経路は互いに並列接続されている。尚、図１と同様の構成要素には同一の符号を付与してある。
【００２２】
このように２つの通信経路を設けることで、一方の送受信ポートが通信処理中即ち１つの通信経路が使用中であっても、他方の通信経路を使用して通信処理が実行でき、並列通信処理が実行できる。そのため、接続されている複数の外部端末と制御部との間で、通信待ち時間による送受信の遅れを減らすことができる。
また、このような優れた効果を奏するにも拘わらず、外部端末を接続する各通信チャンネルに夫々送受信ポートやメモリを設ける必要がなく、各通信チャンネルに２つの送受信ゲートを設けると共に送受信ポートを２つ設ける簡易な構成で実施できる。
【００２３】
尚、上記実施形態は何れもデータを送受信する制御部の構成について説明したが、外部端末からデータを受信することがない場合は、送信ゲートのみでゲートを構成すれば良いし、受信ゲート、受信ポート、受信メモリ等の受信経路を設ける必要はない。
また、図３の構成の場合、並列に設ける通信経路数は２つとしたが、更に増やせば、それだけ通信の並列処理数を増やすことができる。その場合、対応するポート及びゲート制御回路はゲート部の数に合わせて増やされる。
【００２４】
図４は上記図１〜図３に示すインターホン装置を更に具体化した集合住宅用インターホン装置の説明図で、宅配ロッカーの情報を外部端末の一つである集合玄関機に表示する集合住宅用インターホン装置の概略図を示している。図４において、３１ａ〜３１ｎは外部端末としての集合玄関機、３２は制御部としての着荷表示制御装置、３３は外部端末としての宅配ロッカー、３４は外部端末としてのキーリーダーコントローラを示し、各ブロック間の矢印は信号の流れを示している。
【００２５】
集合玄関機３１ａ〜３１ｎには、宅配ロッカー３３に宅配物があったら着荷表示をする着荷表示部３６、図示しない電気錠の操作を読むキーリーダー３７を有し、キーリーダー３７で読み込まれたデータはキーリーダーコントローラ３４を介して着荷表示制御装置３２へ送られる。また、宅配ロッカー３３から着荷表示部３６に着荷状況のデータが逐次入力されており、キーリーダー３７及びキーリーダーコントローラ３４により集合玄関機３１ａ〜３１ｎを通過した住居人を認識し、着荷表示制御装置３２にＩＤデータが送信される。このＩＤデータと宅配ロッカー３３の着荷状況とを比較して、着荷状態にある住居人に対しては、該当する集合玄関機３１ａ〜３１ｎの着荷表示部３６に着荷した旨を表示する。
このように構成した集合住宅用インターホン装置では、上記図１〜図３の構成の制御部の構成を着荷表示制御装置３２に適用することで、着荷表示制御装置３２を小型化できる。
【００２６】
【発明の効果】
以上詳述したように、請求項１，２の発明によれば、制御部に送信ポート或いは受信ポートを１つ設けるだけで複数の外部端末とデータの送信或いは受信が可能となり、外部端末を接続する各通信チャンネル毎に送信ポート，受信ポート及びメモリを設ける必要がなくなる。そのため、制御部に設けるメモリは最小のメモリ数で済むし、データの送信或いは受信の際にメモリやポートの選択操作が必要ないので制御部の構成及び制御操作を簡略化でき、制御部の小型化及び低コストを図ることができる。
【００２７】
請求項３の発明によれば、複数の外部端末に対して夫々送信ポート及び送信メモリを設けることなく、１組の送信ポート及び送信メモリを設けるだけで、簡易な構成で一括してデータを送信できるし、一括送信に際して時間も要さない。
【００２８】
請求項４の発明によれば、制御部に送信ポート及び受信ポートを１つ設けるだけで複数の外部端末とデータの送信及び受信が可能となり、外部端末を接続する各通信チャンネル毎にポート及びメモリを設ける必要がなくなる。そのため、制御部に設けるメモリは最小のメモリ数で済むし、データ送受信の際にメモリやポートの選択操作が必要ないので制御部の構成及び制御操作を簡素化でき、制御部の小型化及び低コストを図ることができる。
また、送信ゲートと受信ゲートを一体化することで、送信も受信も同じゲート制御で実施でき、ゲート制御を送信と受信で独立して行う必要が無い。そのため、ゲート制御回路が送受信独立型と比べて半分に削減できる。
【００２９】
請求項５の発明によれば、請求項１乃至４の何れかの効果に加えて、例えば１つの送信ポート或いは受信ポートが通信処理中であっても、他の送信ポート或いは受信ポートによりもう一つの通信処理が実行でき、接続されている複数の外部端末と制御部との間で、並列通信処理が実行でき、待ち時間による送受信の遅れを削減できる。
【図面の簡単な説明】
【図１】
本発明に係るインターホン装置の第１の実施形態を示す要部ブロック図である。
【図２】
本発明に係るインターホン装置の第２の実施形態を示す要部ブロック図である。
【図３】
本発明に係るインターホン装置の第３の実施形態を示す要部ブロック図である。
【図４】
本発明に係るインターホン装置の具体例を示し、宅配ロッカー情報の報知機能を備えた集合住宅用インターホン装置の概略図である。
【図５】
従来のインターホン装置の要部ブロック図である。
【符号の説明】
１・・制御部、２・・外部端末、３・・送信ポート、４・・受信ポート、５ａ〜５ｎ・・送信ゲート、６ａ〜６ｎ・・受信ゲート、９・・送信メモリ、１０・・送信ゲート制御回路（ゲート制御回路）、１３・・受信メモリ、１４・・受信ゲート制御回路（ゲート制御回路）、１９ａ〜１９ｎ・・送受信ゲート、２０・・送受信ゲート制御回路（ゲート制御回路）、２２・・第１ゲート部、２２ａ〜２２ｃ・・送受信ゲート、２３・・第２ゲート部、２３ａ〜２３ｃ・・送受信ゲート、２４・・第１送受信ポート、２５・・第２送受信ポート、２６・・第１ゲート制御回路、２７・・第２ゲート制御回路、３１ａ〜３１ｎ・・集合玄関機（外部端末）、３２・・着荷表示装置（制御部）、３３・・宅配ロッカー（外部端末）、３４・・キーリーダーコントローラ。
【図１】
2004048381.tif 000003
【図２】
2004048381.tif 000004
【図３】
2004048381.tif 000005
【図４】
2004048381.tif 000006
【図５】
2004048381.tif 000007